(57)【特許請求の範囲】
【請求項１】
パチンコ台の下皿の下方に設置されるホッパーユニットと、このホッパーユニットと台外部の機構部に対して着脱自在に組み合わされるセンサユニットとを備え、
前記ホッパーユニットは、相当数のパチンコ玉を貯留可能なホッパー部と、このホッパー部に収容されたパチンコ玉を１列または複数の列に整列させて出口部に導く整列機構と、この整列機構の前記出口部を開閉する玉こぼれ防止用のストッパとを備え、
前記センサユニットは、これを前記ホッパーユニットに組み合わせたときに前記ストッパに干渉して当該ストッパを開状態にするストッパ連動子と、前記ホッパーユニットの前記出口部から整列されて出てくるパチンコ玉を前記台外部の機構部に導く計数通路と、この計数通路の途中に設けられた玉検出手段とを備えたことを特徴とするパチンコ台の玉計数機。
【請求項２】
前記ホッパーユニットと前記センサユニットとを組み合わせた状態で固定するロック機構を備えたことを特徴とする請求項１に記載のパチンコ台の玉計数機。
【請求項３】
前記ホッパーユニットおよび前記センサユニットの下部には高さ調整用のアジャスター付きの脚部をそれぞれ設けたことを特徴とする請求項１または請求項２に記載のパチンコ台の玉計数機。
【請求項４】
前記センサユニット内の玉センサの上流側に、前記計数通路を開閉するシャッタをさらに設けたことを特徴とする請求項１〜３のいずれか１項に記載のパチンコ台の玉計数機。
【請求項５】
前記シャッタは、パチンコ台側から大当たり信号を受け取った際に開くように制御されるようにしたことを特徴とする請求項４に記載のパチンコ台の玉計数機。
【請求項６】
請求項１〜５のいずれかに記載の玉計数機と、その球計数機が装着される前記台外部の機構部とを備えて構築されるパチンコ玉計数システムであって、
前記台外部の機構部内に、データ保持部を設け、
前記データ保持部は、少なくとも前記センサユニットを前記台外部の機構部から離脱している間、取り外す前に前記センサユニットで検出されたパチンコ玉の検出信号に基づいて計数された玉数のデータを保持し、
かつ、取り外したのと同一または別のセンサユニットを前記台外部の機構部に装着した後に行う計数処理が、前記データ保持部に保持した玉数から加算することができるようにしたことを特徴とするパチンコ台の玉計数システム。
【発明の詳細な説明】
【０００１】
【発明の属する技術分野】
本発明はパチンコ台の玉計数機及び玉計数システムに関し、特に、パチンコ台の１台１台に付設する玉計数機（台毎計数機とも称する）に関する。
【０００２】
【従来の技術】
一般のパチンコ店では、顧客の利用する玉計数機が店内の要所要所に配設されている。これに対して最近では、パチンコ台の１台１台に玉計数機を付設する提案がある。すなわち、顧客がプレーをしながら玉計数機を取り扱い、大当り時の大量の出玉を自動計数させてパチンコ台の内部機構に玉を帰すようにする。より具体的には複数のパチンコ台を配列して構成される「島」内にパチンコ玉を戻すように構成する。これにより、パチンコ玉は島内へ還流されるので、直接その島を構成する各パチンコ台へ供給する当り玉（賞玉）等に使用できるようになる。そして、計数された玉は電子情報として管理され、顧客の要望に応じて、パチンコ玉を再び顧客に発給したり、景品交換のための玉預り証（ＩＣカードなど）を発給したりする。また、これにより大当たりの際にドル箱をあわてて持ってくる必要がなく、ドル箱を持ってくるのが遅れて下皿が満杯になってしまって当り玉が排出されなくなり、せっかくの大当りの権利が途中で消えてしまうという事態もなくなる。
【０００３】
さらに、従来のパチンコ台毎の玉計数機は、個々のパチンコ台の形態に合せて設計されたもので、パチンコ台の下皿の玉排出口から排出される玉を受けて玉計数通路に導き、計数した玉を台サンドと呼ばれる台間機構部に取り込むようになっている。そして、パチンコ玉は、この台間機構部を介して島内を巡る配管路（パチンコ玉を流す通路）に戻される。
【０００４】
【発明が解決しようとする課題】
しかしながら、上記した従来のパチンコ台毎の玉計数機では、次のような問題点があった。すなわち、大量のパチンコ玉を１列に整列させて玉計数通路に導くようになっており、しかも、台サンドの幅を考慮すると、係る玉計数通路は多くても２列にするのが限度である。したがって、この部分での玉詰まりや故障を完全になくすことは難しい。
【０００５】
そこで、トラブルが発生しても大過なく対処できることが大切である。ところが従来の台毎計数機では、計数通路部で玉詰まりを起こしたとき、一時的に玉を蓄えておく部分がないために、すぐに下皿からの玉の排出を受け付けなくなる。つまり、下皿から台間計数機へと玉が流れなくなる。
【０００６】
このとき大当り中であれば、パチンコ台から下皿に次々と当り玉が供給されるが、下皿が満杯になってしまうと、当り玉が排出されなくなる。こうなると、せっかくの大当りの権利が途中で消えてしまうことになるので、係る事態の発生を可及的に抑制する必要がある。
【０００７】
一方、この種の故障を未然に防ぐためには、玉計数機のセンサ類などを定期的に保守点検する必要があるが、大量のパチンコ台の個々に玉計数機をつけるとなると、その保守点検作業もきわめて大変になる。そこで、故障した玉計数機を簡単に交換して営業に支障を来さないようにすることも重要であるが、従来の台間計数機ではこのことが考慮されていなかった。
【０００８】
また、仮に頻繁に保守点検等をしても、遊技者の中には下皿等にコインその他の小物を置く癖のある人も多々あり、大当たりの時にコイン等を取り出すのを忘れ（或いは間に合わず）パチンコ玉とともにそのコイン等も台間計数機へ供給されてしまうことが予想できる。すると、係るコイン等は、台間計数機にとっては異物となるので、それが玉詰まりの原因となる。また、そのように遊技者が置いたものに限らず、パチンコ玉とともにゴミ類が台間計数機側へ供給されてしまうこともあり、それも玉詰まりの原因となる。
【０００９】
さらに、パチンコ台の下皿の玉排出口の位置は製品種類ごとに少しずつ異なるが、従来の台間計数機はそれに合せて各パチンコ台の種類毎に設計しているので、台間計数機の種類が多くなり、その製作が面倒で高価格になるという問題があった。
【００１０】
本発明は、上記した背景に鑑みてなされたもので、その目的とするところは、上記した問題を解決し、玉計数通路で玉詰まりなどを起こしてもすぐには重大事にはならず、また故障した玉計数通路部分を簡単に正常なものと交換して処置でき、さらにパチンコ台の下皿の玉排出口の位置の違いを吸収できるようにした台毎計数機（パチンコ台の玉計数機）を提供することにある。さらに、係る玉計数機を用いた玉計数システムとして、センサユニットを取り外したり、さらには別のセンサユニットと交換したとしても、それまでに計数して得られた玉数データが有効になるようにしたシステムを提供することも目的とする。
【００１１】
【課題を解決するための手段】
上記した目的を達成するため、本発明に係る台毎計数機では、パチンコ台の下皿の下方に設置されるホッパーユニットと、このホッパーユニットと台外部の機構部（実施の形態では「台サンド」に相当）に対して着脱自在に組み合わされるセンサユニットとからなる。前記ホッパーユニットは、相当数のパチンコ玉を貯留可能なホッパー部と、このホッパー部に収容されたパチンコ玉を１列または複数の列に整列させて出口部に導く整列機構と、この整列機構の前記出口部を開閉する玉こぼれ防止用のストッパとを備える。前記センサユニットは、これを前記ホッパーユニットに組み合わせたときに前記ストッパに干渉して当該ストッパを開状態にするストッパ連動子と、前記ホッパーユニットの前記出口部から整列されて出てくるパチンコ玉を前記台外部の機構部に導く計数通路と、この計数通路の途中に設けられた玉検出手段とを備えて構成した（請求項１）。
【００１２】
係る構成にすると、玉詰まりや故障を生じても、ホッパー部にパチンコ玉が貯留されるので、すぐに満杯となることはなく、当たり玉が排出され、大当たりの権利が保持される。そして、ホッパーユニットとセンサユニットは分離可能となっているので、両ユニットを分離してセンサユニットを取り外す。すると、ホッパーユニットの出口部は自動的にストッパにより閉状態になり、ホッパーユニットに貯留されているパチンコ玉が外部に流出するのを阻止する。そして、正常なセンサユニットを装着すると、自動的にストッパが開状態になり、センサユニット側にパチンコ玉が供給される。
【００１３】
また、より好ましい構成として、前記ホッパーユニットと前記センサユニットとを組み合わせた状態で固定するロック機構を備えることができる（請求項２）。これにより、正常状態では両ユニットが分離などすることがなく、安定して使用できる。さらに、前記ホッパーユニットおよび前記センサユニットの下部には高さ調整用のアジャスター付きの脚部をそれぞれ設けるようにしてもよい（請求項３）。
【００１４】
一方、前記センサユニット内の玉センサの上流側に、前記計数通路を開閉するシャッタをさらに設けてもよい（請求項４）。そして、その場合に前記シャッタは、パチンコ台側から大当たり信号を受け取った際に開くように制御することができる（請求項５）。係る構成にすると、シャッタを閉じておくと計数されないので、常時計数処理するのではなく、必要に応じて自動的或いは手動命令に基づいて計数させることができる。これにより、不正行為がしにくくなる。また、遊戯中に島側へパチンコ玉を戻して計数処理をする必要があるのは、特に大当たりの時である。よって請求項５のように構成すると、係る計数処理の必要な大当たり時に自動的に処理が開始するので、遊技者が計数処理のスイッチを押し忘れたり、操作がわからずに、ホッパーユニット内にもパチンコ玉が満杯となる事態を未然に防止できる。
【００１５】
さらにまた、本発明に係る玉計数システムでは、請求項１〜５のいずれかに記載の玉計数機と、その球計数機が装着される前記台外部の機構部とを備えて構築されるパチンコ玉計数システムであって、前記台外部の機構部内に、データ保持部を設ける。そして、前記データ保持部は、少なくとも前記センサユニットを前記台外部の機構部から離脱している間、取り外す前に前記センサユニットで検出されたパチンコ玉の検出信号に基づいて計数された玉数のデータを保持するようにする。さらに、取り外したのと同一または別のセンサユニットを前記台外部の機構部に装着した後に行う計数処理が、前記データ保持部に保持した玉数から加算することができるようにした（請求項６）。
【００１６】
係る構成にすると、台外部の機構部内のデータ保持部にそれまでに計数した玉数のデータ（積算値）が格納されているので、玉詰まり解除や故障に伴う交換処理のために一旦センサユニットを取り外したとしても、積算値データは保持されているので、その後に同一または別のセンサユニットを装着し、計数処理を開始した場合に、上記した記憶保持した積算値を初期値として積算することができる。
【００１７】
【発明の実施の形態】
本発明の一実施の形態による台毎計数機の構成を図１〜図８に示している。各図の中で、図１はパチンコ台１に玉計数機を付設した状態を示し、図２は玉計数機の全体の概観図を示し、図３はその要部の内部構成を示し、図４はユニットを分離した状態を示している。
【００１８】
図１に示すように、各パチンコ台１の下皿２の下方のカウンター部分に本実施の形態の玉計数機を設置する。玉計数機は、図２に示すように、ホッパーユニット３とセンサユニット４とを備え、さらにセンサユニット４は台間ユニット５に結合される。そして、台間ユニット５を台サンド６の下方に装着するようになっている。
【００１９】
ホッパーユニット３は、図３，図４に拡大して示すように、広い玉受け面積をもって相当数のパチンコ玉を貯留可能なホッパー部３１と、このホッパー部３１に収容されたパチンコ玉を数列（実施の形態では２列）に整列させて出口部３２に導く整列機構（仕切壁）３３と、この整列機構３３の出口部３２を開閉する玉こぼれ防止用のストッパ３４とを備える。整列機構３３の出口部３２に近い部分は筒状に形成されており、その内部にはブリッジ防止用のガイド３５も設置されている。
【００２０】
さらに本例では、ホッパー部３１および整列機構３３にかけてはパチンコ玉に混入しているゴミ類を排出するスリット３６が適宜形成されている。これにより、スリット３６を介してごみ類が下方に落ちるため、出口部３２からセンサユニット４側にごみ類が侵入し、玉詰まりや誤動作するのを抑制できる。そして、スリット３６を介して落下したごみ類の一部は、ホッパーユニット３の下方に設けた排出口３６ａを介して取り出すことができるようになっている。なお、スリット３６は、上記したようにごみ類を排出する機能に加え、そのスリット３６にパチンコ玉の下端が接触し、スリット３６に沿って移動する。つまり、パチンコ玉を２列に整列させて導くガイドとしての機能も有する。
【００２１】
センサユニット４は、図３に示すようにＬ字型をなしている。そして、図２と図４を比較すると明らかなように、センサユニット４の一端側をホッパーユニット３に結合し、他端側を台間ユニット５に結合するようになっている。しかも、センサユニット４とホッパーユニット３とは分離可能となっており、正常の使用状態ではキーロック機構Ｋ１により両ユニット３，４は離脱不能に結合されている。なお、本例では、センサユニット４と台間ユニット５とを一体化している。つまり、玉計数機を台サンド６から取り外すには、台間ユニット５ごと取り出すようになっている。そして、装着時には、キーロック機構Ｋ２により、台間ユニット５と台サンド６とを離脱不能に結合している。これにより、玉計数機が台サンド６に固定される。そして、このように各ユニット３〜５を結合するとともに、台サンド６に取り付けた状態では、図５に示すように、センサユニット４と台サンド６とは、台間ユニット５を介して電気的にも接続されて、相互にデータ・命令の送受が行われるようになっている。なお、このように台間ユニット５を介して行うのではなく、センサユニット４から直接台サンド６とデータ等の送受を行うようにしても良い。
【００２２】
一方、ホッパーユニット３の先端側の前面には、逆Ｌ字状のストッパ連動子４１を設けている。このストッパ連動子４１は、その上方の先端部４１ａが、後側に伸びるような形状となり、その先端部４１ａはテーパ面となっている。そして、センサユニット４をホッパーユニット３に組み合わせたときに、ストッパ連動子４１が、ストッパ３４に干渉して当該ストッパ３４を開状態にするようになっている。
【００２３】
ホッパーユニット３におけるストッパ３４をセンサユニット４のストッパ連動子４１により開閉作動させる部分の構成は、図５に詳しく示すようになっている。すなわち、ストッパ３４はバネ３８により付勢されていて、ホッパーユニット３にセンサユニット４が結合されていない状態では、バネ３８の力でストッパ３４が玉通路側に出っ張って通路を塞ぎ、出口部３２から玉がこぼれるのを防ぐ（同図（Ｂ）参照）。ホッパーユニット３にセンサユニット４を結合すると、ストッパ連動子４１が窓穴からユニット３の内部に侵入し、ストッパ３４を上に押し上げる（同図（Ａ）参照）。これによりストッパ３４が玉通路の障害にならなくなる（出口部３２が開状態になる）。
【００２４】
さらに、センサユニット４には、ホッパーユニット３の出口部３２から整列されて出てくるパチンコ玉を台間ユニット５に導く計数通路４２と、この計数通路４２の途中に設けられた玉センサ（近接センサ）４３と、計数通路４２を開閉するシャッタ４４と、このシャッタ４４を開閉駆動するソレノイド４５とを備えている。
【００２５】
計数通路４２は、センサユニット４の形状に合わせて途中で屈曲するＬ字状に形成されている。そして、スムーズに玉センサ４３側にパチンコ玉が流れるように、屈曲前の上流通路４２ａよりも屈曲後の下流通路４２ｂの方を低くしている。さらに、下流通路４２ｂの上流側（計数通路４２の屈曲部位）には、三角柱状の方向変換部材４２ｃを設け、上流通路４２ａから下流通路４２ｂに向けて落下したパチンコ玉は、その方向変換部材４２ｃの斜面に当接し、スムーズにその進路が９０度方向変換されるようになっている。
【００２６】
そして、計数通路４２を通過するパチンコ玉が玉センサ４３上を通過すると、玉センサ４３から検出信号が出力される。この検出信号に基づいてパチンコ玉の個数が計数できる。つまり、玉センサ４３の出力端子とソレノイド４５の入力端子は、図５に示すようにセンサユニット４と一体化された台間ユニット５の処理回路に接続されており、この台間ユニット５を台サンド６に装着した際に、台間ユニット５の処理回路と台サンド６の制御回路とが電気的に導通状態となるようになっている。これにより、玉センサ４３の検出信号は、台間ユニット５を介して台サンド６に送られ、そこにおいて計数処理されるとともに、積算個数データが台サンド６内のデータ保持部６１に保持される。よって、後述するように何らかの原因により玉計数機を取り外しても、それまでの積算個数データは、台サンド６側に保持されており、データが消失することはない。なお、個数の計数処理は、本例では台サンド６側で行うようにしたが、本発明ではこれに限ることはなく、台間ユニット５或いはセンサユニット４側で計数処理を行うようにしても良い。
【００２７】
さらに、台サンド６側よりソレノイド４５に対する制御信号が送られ、シャッタ４４の開閉が制御される。係る開閉制御は、台サンド６側の制御回路によって制御され、その制御回路は、例えば図７に示すようなフローチャートに従って動作する。つまり、通常はシャッタ４４を閉じておき、パチンコ玉が玉センサ４３上を通過しないようにしておく（ＳＴ１）。そして、大当たり信号を受け取ると、自動的にソレノイドに電流を通電してシャッタ４３を開く（ＳＴ３）。これにより、ホッパーユニット３内に貯留するパチンコ玉は、玉通路を介して島側に還流される。この時、パチンコ玉は玉センサ４３上を通過するので、玉センサ４３からは検出信号が出力される。そこで、検出信号を受け取り、計数処理を行う（ＳＴ４）。
【００２８】
そして、計数処理終了か否かを判断し（ＳＴ５）、終了していない場合には計数処理を続行する。また、計数処理が終了したならば、ステップ１に戻りシャッタ４４が閉じ、今回の計数処理が完了する。なお、ステップ５の分岐判断は、台間ユニット５の前面に設置された所定の操作スイッチ（終了ボタン）５１が押下された（計数処理終了）か否かにより判断する。
【００２９】
また、本例では、ステップ４の計数処理により求められた計数値が台サンド６側のデータ保持部６１に与えられ、そこにおいて保持されるようにしている。そして、係る保持のタイミングは、本例では計数してカウントアップする都度リアルタイムでデータを書き替えるようにしているが、取り外す直前に行うようにしても良い。。
【００３０】
このように本例では、大当たりと連動して計数処理を行うため、ホッパーユニット３や下皿２にパチンコ玉が満杯になることはなく、係る満杯にともないパチンコ玉の排出が停止されて大当たりの権利がなくなることもない。
【００３１】
なお、計数処理は、台サンド６側の制御回路で行っても良く、また台間ユニット５側で計数し、その計数結果を台サンド６の制御回路に送るようにしていても良い。そして、いずれの場合でも、計数値は、例えば台間ユニット５の表示器５１に表示されるようにすると、顧客は計数値を確認できるので好ましい。
【００３２】
さらにまた、計数処理としては、上記したように大当たりに連動させるものだけではなく、例えば台間ユニット５の前面に設置した操作スイッチ５１の押下にともないシャッタ４４が開いて計数処理できるようにしても良い。また、その場合にホッパーユニット３に貯留されたすべてのパチンコ玉を計数するのではなく、所定個数だけ計数するようにしても良い。
【００３３】
さらにまた、ホッパーユニット３とセンサユニット４とを組み合わせた状態で固定するキーロック機構Ｋ１を備えている。つまり、センサユニット４側には、その端面にロック溝４６が設けられ、このロック溝４６と係合するホッパーユニット３側には、前記ロック溝に係合したり、離脱するキーロックレバー３９を設けている。そして、ホッパーユニット３の前面に設けたキー穴３９ａに、キー（図示せず）を差し込むとともに所定方向に回すことにより、キーロックレバー３９も正逆回転し、係合／解除が制御される。
【００３４】
なお、ホッパーユニット３およびセンサユニット４の下部には高さ調整用のアジャスター付きの脚部３７，４７をそれぞれ設けている。これにより、規格の異なる複数種類のパチンコ台に対して対応できる。
【００３５】
以上のように構成された玉計数機の使用方法と動作について説明する。通常は図１のように各パチンコ台１に玉計数機を付設しておく。顧客がプレーしていて大当りになり、大量の当り玉が次々と台１から下皿２に排出されてきたとする。顧客は下皿２が満杯になりそうになったら、下皿２のシャッタ２ａを開けて、下皿２の玉をホッパー部３１に落下させる。
【００３６】
ホッパー部３１に入った玉は傾斜に従って整列機構３３を出口部３２に向けて流動し、センサユニット４の計数通路４２を通って台間ユニット５へと送給される（台間ユニット５は島内に構築された玉循環機構につながっている）。なお、係るパチンコ玉の流れは、図８中矢印で示すようになる。
【００３７】
この玉の流れにおいて、玉が計数通路４２を通過する毎に玉センサ４３から検出信号（計数信号）が出力され、台間ユニット５或いは台サンド６でこの検出信号を計数し、表示器５１に計数値を表示するとともに、台サンド６にて計数値を電子情報として管理（データ保持部６１に格納）し、顧客の要望に応じて、パチンコ玉を再び顧客（パチンコ台１）に発給したり、景品交換のための玉預り証（ＩＣカードなど）を発給したりする。
【００３８】
一方、何等かの原因でセンサユニット４で玉詰まりが発生したとする。顧客はすぐに係員を呼ぶが、係員が来るまでには少し時間がかかる。本発明の台毎計数機では、相当数の玉を貯留できる容量のホッパー部３１があるので、センサユニット４で玉詰まりしても、下皿２からの玉がホッパー部３１に供給されて貯留されるので、下皿２が満杯になってパチンコ台１がプレー（玉の排出）を自動停止するまでには相当の時間がかかる。その間に顧客も係員も落ち着いて対処できる。
【００３９】
すなわち、係員は、まずキーロック機構Ｋ１，Ｋ２を解除して、台間ユニット５ごとセンサユニット４を台サンド６から取り外す。このとき、ホッパーユニット３の出口部３２が前述したようにストッパ３４で塞がれるので、ホッパーユニット３から玉が溢れ出ることはない。さらに、このようにセンサユニット４を取り外してもホッパーユニット３は取り付けたままであるので、パチンコ台１（下皿２）から排出されるパチンコ玉を受け取ることができる。
【００４０】
続いて係員は、例えば、持参してきた正常なセンサユニット４（台間ユニット５）を台サンド６に装着するとともに、ホッパーユニット３と結合する。その後キーロックすることにより玉計数機の機能が復旧したことになり、計数動作が継続して行われる。また顧客は、大きなホッパー部３１から別の容器に手で玉を移してもよい。このときあわてる必要がない。
【００４１】
また、このように一旦玉計数機を取り外し、別の玉計数機（センサユニット４）を装着しても、それまでの計数値自体は台サンド６に保持されているので問題はない。さらに、故障を生じたセンタユニット４の中には、シャッタ４３の手前側に数個のパチンコ玉が残ることがある。係るパチンコ玉は、例えばシャッタが閉じたり、キーロック解除などを条件にリターン通路を介して外部に流出させるようにしておくことにより、係る流出してきたパチンコ玉をホッパー部３１に移し換えることができる。これにより、当たり玉を正確に計数処理できる。
【００４２】
なお、上記した実施の形態では、台間ユニット５とセンサユニット４とを一体化した例について説明したが、両者を分離できるようになっていても良い。その場合には、センサユニット４は台間ユニット５を介して台サンド（台外部の機構部）６に装着可能となっていると解しても良く、或いは台間ユニット５自体が台外部の機構部の一部ととらえても良い。
【００４３】
【発明の効果】
本発明のパチンコ台の玉計数機及び玉計数システムは、相当数のパチンコ玉を貯留可能なホッパー部があるので、玉計数通路部分で玉詰まりを起こしても、その詰まりがパチンコ台に伝わってプレー（当たり玉の排出）が自動停止するような不都合はほとんど起きない。同じ理由で、パチンコ台の下皿の玉排出口の位置が相当に異なる機種でも同じ設計の玉計数機で対応できるので、同一の玉計数機を大量生産して価格を低減できる。
【００４４】
また本発明では、ホッパーユニットとセンサユニットとを分離式とし、分離したときにはホッパーユニットの出口部が自動的に塞がれる構造としたので、玉計数通路で玉詰まりなどを起こしてもすぐには重大事にはならずに済み、また故障した玉計数通路部分を簡単に正常なものと交換して処置できる。大量の玉計数機の保守点検および交換修理の作業性もきわめてよい。
【図面の簡単な説明】
【図１】本発明の一実施の形態による玉計数機をパチンコ台に付設した状態の概略斜視図である。
【図２】同上玉計数機の外観を示す図である。
【図３】同上玉計数機の内部構造を示す一部破断斜視図である。
【図４】同上玉計数機のユニット分離状態の斜視図である。
【図５】各ユニットの連結状態を示す図である。
【図６】（Ａ）は同上玉計数機のストッパ開状態の断面図である。
（Ｂ）は同上玉計数機のストッパ閉状態の断面図である。
【図７】シャッタの開閉並びに計数処理アルゴリズムを示すフローチャートである。
【図８】パチンコ玉の流れを説明する図である。
【符号の説明】
１  パチンコ台
２  下皿
２ａ  シャッタ
３  ホッパーユニット
３１  ホッパー部
３２  出口部
３３  整列機構
３４  ストッパ
３５  ブリッジ防止用ガイド
３６  ロックレバー
３７  脚部
３８  バネ
４  センサユニット
４１  ストッパ連動子
４２  計数通路
４３  玉センサ
４４  シャッタ
４５  ソレノイド
４６  ロック溝
４７  脚部
５  台間ユニット
５１  表示器
【図１】
0003577850.tif 000002
【図２】
0003577850.tif 000003
【図３】
0003577850.tif 000004
【図４】
0003577850.tif 000005
【図５】
0003577850.tif 000006
【図６】
0003577850.tif 000007
【図７】
0003577850.tif 000008
【図８】
0003577850.tif 000009